(57)【特許請求の範囲】
【請求項１】
降雨時であって雨水が排出される第１の排水状態と、汚水が排出される第２の排水状態とが生じる屋外設備に設けられる排水システムであって、
前記屋外設備から排出される水が流入する流入管路と、
前記流入管路の下流端に接続された流路切替手段と、
上流端が前記流路切替手段に接続され、下流端が雨水系管路に接続された雨水流出管路と、
上流端が前記流路切替手段に接続され、下流端が汚水系管路に接続された汚水流出管路と、
を備え、
前記流路切替手段は、前記流入管路から前記雨水流出管路に水を流す第１の状態と、前記流入管路から前記汚水流出管路に水を流す第２の状態とに切り替え可能に構成され、
前記流路切替手段は、前記第１の排水状態のときに前記第１の状態にされ、前記第２の排水状態のときに前記第２の状態にされる、排水システム。
【請求項２】
前記流路切替手段は、
上方に開口する点検口と、前記流入管路の下流端が接続された流入口と、前記雨水流出管路の上流端が接続された第１流出口と、前記汚水流出管路の上流端が接続された第２流出口と、を有するます本体と、
前記ます本体に設けられ、前記流入口から前記第２流出口へ水が流れないように前記流入口と前記第１流出口とを連通させる第１の切替位置と、前記流入口から前記第１流出口へ水が流れないように前記流入口と前記第２流出口とを連通させる第２の切替位置との間で位置変更が可能な切替手段と、を備えた排水ますである、請求項１に記載された排水システム。
【請求項３】
前記第２流出口は、前記流入口および前記第１流出口よりも低い位置に設けられ、かつ下方に開口し、
前記切替手段は、前記第２流出口に着脱自在に設けられた蓋体である、請求項２に記載された排水システム。
【請求項４】
前記屋外設備は、ガソリンスタンド、洗車場、屋外のシャワー室、駐車場、または、屋外の洗い場である、請求項１から３までの何れか一つに記載された排水システム。
【請求項５】
前記雨水流出管路は、前記汚水流出管路よりも高い位置に設けられている、請求項１から４までの何れか一つに記載された排水システム。
【請求項６】
他の屋外設備から排出される水が流入する他の流入管路と、
前記他の流入管路の下流端が接続され、前記流入管路内に設けられた他のますと、
を備えている、請求項１から５までの何れか一つに記載された排水システム。
【発明の詳細な説明】
【技術分野】
【０００１】
本発明は、排水システムに関する。
【背景技術】
【０００２】
従来から、雨水は、散水などの循環利用が可能な中水として利用されている。例えば、家屋の屋根に降った雨水は雨樋に集められ、雨樋から貯留タンクに送られ、貯留タンクに貯留される。雨水を中水として利用する場合、貯留タンクに貯留する前に、雨水に混在する落ち葉、砂塵などの異物を除去する。
【０００３】
雨水の異物を除去する排水システムが特許文献１および２に開示されている。特許文献１および２に記載された排水システムは、メッシュ状のフィルターを備えている。そして、上記フィルターに雨水を通過させることで、雨水に混在する異物がフィルターにより捕捉される。これにより、雨水に混在する異物が除去され、雨水を中水として利用することができる。
【先行技術文献】
【特許文献】
【０００４】
【特許文献１】特開２００５−６１１９７号公報
【特許文献２】特開２００８−８０６８号公報
【発明の概要】
【発明が解決しようとする課題】
【０００５】
ところで、ガソリンスタンドまたは洗車場などの屋外設備では、降雨時には、雨水は地面の上を流れてから側溝に排出される。一方、洗車時などの設備使用時には、洗剤などの油分を含んだ汚水が地面の上を流れ、側溝に排出される。このように上記屋外設備では、同一の側溝に対して、雨水が排出される場合と汚水が排出される場合とが起こり得る。
【０００６】
ところが、特許文献１および２に記載されたフィルターでは、汚水に含まれる油分を除去することはできない。ガソリンスタンドまたは洗車場などの屋外設備の側溝と貯留タンクとの間に、特許文献１および２に記載されたフィルターを設けると、降雨時には貯留タンクに雨水を貯留することはできるが、洗車時などの設備使用時には貯留タンクに汚水が流入してしまう。よって、上記屋外設備から流出する雨水を中水として利用することができなかった。
【０００７】
ガソリンスタンドまたは洗車場などの屋外設備から排出される雨水を中水として利用せず、上記屋外設備からの排水はすべて汚水として排出することが考えられる。しかし、その場合、本来は河川に放流可能な雨水を汚水として処理することになる。集中豪雨時などにおいて、大量の雨水を下水処理場に送ることになり、下水処理場の負担が増えてしまう。
【０００８】
本発明はかかる点に鑑みてなされたものであり、その目的は、屋外設備から排出される汚水および雨水が流入する排水システムであって、屋外設備から排出される雨水を中水として利用可能、または、雨水本管等に排出可能な排水システムを提供することである。
【課題を解決するための手段】
【０００９】
本発明に係る排水システムは、降雨時であって雨水が排出される第１の排水状態と、汚水が排出される第２の排水状態とが生じる屋外設備に設けられる排水システムであって、前記屋外設備から排出される水が流入する流入管路と、前記流入管路の下流端に接続された流路切替手段と、上流端が前記流路切替手段に接続され、下流端が雨水系管路に接続された雨水流出管路と、上流端が前記流路切替手段に接続され、下流端が汚水系管路に接続された汚水流出管路と、を備えている。前記流路切替手段は、前記流入管路から前記雨水流出管路に水を流す第１の状態と、前記流入管路から前記汚水流出管路に水を流す第２の状態とに切り替え可能に構成されている。前記流路切替手段は、前記第１の排水状態のときに前記第１の状態にされ、前記第２の排水状態のときに前記第２の状態にされる。
【００１０】
前記排水システムによれば、屋外設備から汚水が排出される第２の排水状態では、流路切替手段を第２の状態にすることで、屋外設備から排出される汚水は汚水流出管路に流れる。そのため、雨水系管路に汚水が流れ込むことを防止することができる。一方、降雨時であって雨水が排出される第１の排水状態では、流路切替手段を第２の状態から第１の状態に切り替えることで、屋外設備から排出される雨水は雨水流出管路に流れる。よって、雨水系管路に雨水を排出することができ、この雨水を中水として利用したり、雨水本管等に排出したりすることが可能となる。また、汚水系管路に雨水が排出されることを防止することができる。
【００１１】
本発明の好ましい一態様によれば、前記流路切替手段は、上方に開口する点検口と、前記流入管路の下流端が接続された流入口と、前記雨水流出管路の上流端が接続された第１流出口と、前記汚水流出管路の上流端が接続された第２流出口と、を有するます本体と、前記ます本体に設けられ、前記流入口から前記第２流出口へ水が流れないように前記流入口と前記第１流出口とを連通させる第１の切替位置と、前記流入口から前記第１流出口へ水が流れないように前記流入口と前記第２流出口とを連通させる第２の切替位置との間で位置変更が可能な切替手段と、を備えた排水ますである。
【００１２】
屋外設備から排出される雨水および汚水には、落ち葉、砂塵などの異物が含まれる場合があり、その異物が流路切替手段内に堆積する場合がある。そのため、異物によって、流路切替手段の流路切替機能が損なわれるおそれがある。しかし、上記態様によれば、流路切替手段は、流路切替機能を有する排水ますによって構成されている。排水ますは点検口を備えているため、メンテナンスが容易である。よって、流路切替手段内に異物が詰まった場合に、点検口から異物を容易に取り除くことができる。したがって、流路切替機能を十分に確保することができ、流路が切り替えられなくなる事態を回避し易くなる。
【００１３】
本発明の好ましい他の一態様によれば、前記第２流出口は、前記流入口および前記第１流出口よりも低い位置に設けられ、かつ下方に開口している。前記切替手段は、前記第２流出口に着脱自在に設けられた蓋体である。
【００１４】
上記態様によれば、蓋体を第２流出口に装着すると、流入口と第１流出口とが連通し、流入口と第２流出口との連通が遮断される。よって、流入口からます本体に流入した雨水は、第１流出口から流出し、第２流出口から流出しない。したがって、流入管路に流入した雨水は、雨水流出管路に流れる。一方、蓋体を第２流出口から取り外すと、流入口と第１流出口と第２流出口とが連通する。しかし、第２流出口は、流入口および第１流出口よりも低い位置に設けられている。よって、流入口からます本体に流入した汚水は、第１流出口から流出するのではなく、第２流出口から流出する。したがって、流入管路に流入した汚水は、汚水流出管路に流れる。
【００１５】
本発明の好ましい他の一態様によれば、前記屋外設備は、ガソリンスタンド、洗車場、屋外のシャワー室、駐車場、または、屋外の洗い場である。
【００１６】
ガソリンスタンド、洗車場、屋外のシャワー室、駐車場、または、屋外の洗い場では、同じ流入管路に、雨水の他に、洗剤などの油分が含まれた汚水が排出される。上記態様によれば、流路切替手段の状態を適宜変更することによって、雨水が流入管路に流入する場合、その雨水を雨水流出管路に流すことができ、汚水が流入管路に流入する場合、その汚水を汚水流出管路に流すことができる。
【００１７】
本発明の好ましい他の一態様によれば、前記雨水流出管路は、前記汚水流出管路よりも高い位置に設けられている。
【００１８】
雨水流出管路および汚水流出管路が破損した場合、汚水流出管路内の汚水が外部に漏れて、その汚水が雨水流出管路の破損個所から内部に流入するおそれがある。しかし、上記態様によれば、雨水流出管路は、汚水流出管路よりも高い位置に設けられている。そのため、汚水流出管路内の汚水が外部に漏れた場合であっても、汚水が雨水流出管路の破損箇所から内部に流入しにくくすることができる。
【００１９】
本発明の好ましい他の一態様によれば、他の屋外設備から排出される水が流入する他の流入管路と、前記他の流入管路の下流端が接続され、前記流入管路内に設けられた他のますと、を備えている。
【００２０】
上記態様によれば、他のますには、他の屋外設備から排出される水が流入する。他のますは、流入管路内に設けられているため、流入管路に接続された排水ますには、屋外設備および他の屋外設備から排出された水が流入する。よって、１つの流路切替手段によって流路を切り替えることで、屋外設備または他の屋外設備から汚水が排出される場合、その汚水をまとめて汚水流出管路に流すことができ、屋外設備および他の屋外設備から雨水が排出される場合、その雨水をまとめて雨水系管路に流すことができる。
【発明の効果】
【００２１】
本発明によれば、屋外設備から排出される汚水および雨水が流入する排水システムであって、屋外設備から排出される雨水を中水として利用可能、または、雨水本管等に排出可能な排水システムを提供することができる。
【図面の簡単な説明】
【００２２】
【図１】第１実施形態に係る排水システムの平面図である。
【図２】第１実施形態に係る排水システムの正面図である。
【図３】屋外設備の例を模式的に示した図である。
【図４】屋外設備の例を模式的に示した図である。
【図５】屋外設備の例を模式的に示した図である。
【図６】屋外設備の例を模式的に示した図である。
【図７】屋外設備の例を模式的に示した図である。
【図８】排水ますの平面図である。
【図９】排水ますの正面断面図である。
【図１０】排水ますの側面図である。
【図１１】蓋体の平面図である。
【図１２】蓋体の正面図である。
【図１３】蓋体の側面図である。
【図１４】第３実施形態に係る汚水システムの平面図である。
【図１５】第１変形例に係る排水ますの正面断面図である。
【図１６】第２変形例に係る排水ますの正面断面図である。
【図１７】第３変形例に係る排水ますの正面断面図である。
【図１８】第４変形例に係る排水ますの平面図である。
【発明を実施するための形態】
【００２３】
以下、図面を参照しながら、本発明に係る排水システムの各実施形態について説明する。ここで説明される各実施形態は、当然ながら特に本発明を限定することを意図したものではない。また、同じ作用を奏する部材・部位には同じ符号を付し、重複する説明は省略または簡略化する。
【００２４】
まず、第１実施形態に係る排水システム１Ａについて説明する。図１は、本実施形態に係る排水システム１Ａを示す平面図である。図２は、排水システム１Ａを示す正面図である。図１に示すように、排水システム１Ａは、屋外設備５から排出された汚水および雨水が流入するシステムである。ここで、「屋外設備」とは、屋外に配置され、降雨時であって雨水が排出される第１の排水状態と、汚水が排出される第２の排水状態とが生じる設備のことをいう。「屋外」とは、屋根がない場所、または、屋根があっても、降雨時には雨が入り込み得る場所のことをいう。
【００２５】
図３〜図７は、屋外設備５の例を模式的に示した図である。例えば、屋外設備５とは、図３に示すようなガソリンスタンド、図４に示すような洗車場、図５に示すような海水浴場などにある屋外のシャワー室、図６に示すような駐車場、または、図７に示すようなキャンプ場などの屋外の洗い場などをいう。なお、図３、図４および図６において、符号５ａは自動車を表しており、図４、図５および図７において、矢印は水を表している。
【００２６】
ここで、「汚水」とは、屋外設備５から排出され、洗剤などの油分が含まれた水である。「汚水」とは、そのままでは河川に放流することができず、散水などの循環利用が可能な中水として利用することができないものである。「雨水」とは、降雨などの自然現象に起因する水である。「雨水」とは、そのまま河川に放流させることができ、中水として利用することができるものである。なお、雨水であっても、雨水に汚水が混在している場合は、「汚水」とする。例えば、雨水のうち降雨初期の雨水（以下、初期雨水ともいう。）は、屋外設備５の地面に付着した洗剤などの油分が混ざることがあるため、汚水である。ここでは、汚水と雨水とを総称して「排水」と呼ぶ。図２に示すように、屋外設備５から排出された汚水および雨水は、共に屋外設備５に設けられた側溝６に排出される。排水システム１Ａは、排水管路１０と、流路切替機能を有する排水ます４０と、雨水槽７０とを備えている。
【００２７】
排水管路１０は、地中に埋設されている。排水管路１０は、特に図示はしていないが、下流に向かって下方に傾斜している。排水管路１０は、流入管路１１と雨水流出管路１２と汚水流出管路１３とを備えている。流入管路１１には、屋外設備５から排出された雨水および汚水が流入する。ここでは、流入管路１１の上流端は、屋外設備５に設けられた側溝６と繋がっている。流入管路１１の下流端は、排水ます４０の流入口５２に接続されている。雨水流出管路１２の上流端は、排水ます４０の第１流出口５３に接続されている。雨水流出管路１２の下流端は雨水系管路に接続されている。ここで、「雨水系管路」とは、雨水が流れる管路のことをいう。「雨水系管路」には、雨水を中水利用するための貯留タンクなどの雨水槽、その雨水槽に接続された管または河川（放流先）、雨水本管、雨水本管に接続された支管などが含まれる。ここでは、雨水流出管路１２の下流端は、雨水槽７０に接続されている。雨水流出管路１２の下流端からは雨水が流出する。
【００２８】
汚水流出管路１３の上流端は、排水ます４０の第２流出口５４に接続されている。汚水流出管路１３の下流端は汚水系管路に接続されている。ここで、「汚水系管路」とは、汚水が流れる管路のことをいう。「汚水系管路」には、汚水を汚水処理場に導く下水本管、下水本管に接続された支管などが含まれる。ここでは、図１に示すように、汚水流出管路１３の下流端には、下水本管２５が接続されている。汚水流出管路１３の下流端からは汚水が流出する。汚水流出管路１３内には、公共ます２６が設けられている。図２に示すように、汚水流出管路１３は、雨水流出管路１２よりも低い位置に設けられている。換言すると、雨水流出管路１２は、汚水流出管路１３よりも高い位置に設けられている。なお、「管路」とは、水を流通させる通路を意味する。「管路」は、一本の配管により構成されていてもよいし、複数本の配管とそれらを接続する継手によって構成されていてもよい。
【００２９】
排水ます４０は、雨水および汚水の流路の切り替えが可能なますである。排水ます４０は、流入管路１１から雨水流出管路１２に雨水を流す状態（第１の状態）と、流入管路１１から汚水流出管路１３に汚水を流す状態（第２の状態）とに切り替え可能なものである。本実施形態では、排水ます４０が「流路切替手段」に対応する。
【００３０】
図８は、排水ます４０の平面図である。図９は、排水ます４０の正面断面図である。図１０は、排水ます４０の側面図であり、第１流出口５３側から見た図である。図８に示すように、排水ます４０は、ます本体４１と蓋体４２とを備えている。図１０に示すように、ます本体４１は、上部が拡径した略筒状に形成されている。図９に示すように、ます本体４１の上部には、上方に開口する点検口５１が形成されている。ます本体４１の側部には、側方に開口する流入口５２および第１流出口５３が形成されている。ます本体４１の下部には、下方に開口する第２流出口５４が形成されている。
【００３１】
図２に示すように、点検口５１には、点検筒５６が接続されている。ここでは、点検筒５６の上端が地面と略同じ高さに配置されるように、排水ます４０は地中に埋設されている。作業者は、点検筒５６を通じて、ます本体４１の内部に破損または詰まりなどがないかを点検することができる。なお、点検筒５６の上端には、蓋５７が配置されている。点検筒５６は、蓋５７によって閉じられている。
【００３２】
図９に示すように、流入口５２は、ます本体４１の側部に設けられている。本実施形態では流入口５２は、配管が挿入される受口であるが、配管に挿入される差口であってもよい。図１に示すように、前述の通り、流入口５２には流入管路１１が接続される。なお、本実施形態では流入口５２には、流入管路１１の一部をなす配管（図示せず）が直接接続されるが、流入口５２に上記配管が他の部材などを介して間接的に接続されていてもよい。上記他の部材として、例えばフレキシブルジョイントまたはゴム製の継手などの伸縮自在なものを好適に用いることができる。
【００３３】
図９に示すように、第１流出口５３は、ます本体４１の側部であって、流入口５２と反対側に配置されている。本実施形態では、第１流出口５３は受口であるが、第１流出口５３は差口であってもよい。図１に示すように、前述の通り、第１流出口５３には、雨水流出管路１２が接続される。第１流出口５３には、雨水流出管路１２の一部をなす配管が直接接続されていてもよく、上記配管が他の部材を介して間接的に接続されていてもよい。
【００３４】
図９に示すように、第２流出口５４は、ます本体４１の下部に設けられており、下向きに開口している。第２流出口５４は、流入口５２および第１流出口５３よりも低い位置に設けられている。第２流出口５４は、平面視において、流入口５２と第１流出口５３との間に配置されている。第２流出口５４は、点検口５１の下方に設けられている。図２に示すように、前述の通り、第２流出口５４には、汚水流出管路１３が接続されている。なお、第２流出口５４には、汚水流出管路１３の一部をなす配管が直接接続されていてもよく、上記配管が他の部材を介して間接的に接続されていてもよい。
【００３５】
図９に示すように、蓋体４２は、ます本体４１内の雨水および汚水の流路を切り替える部材である。本実施形態では、蓋体４２が「切替手段」に対応する。蓋体４２は、流入口５２から第２流出口５４へ雨水および汚水が流れないように、流入口５２と第１流出口５３とを連通させる切替位置（第１の切替位置）と、流入口５２から第１流出口５３へ雨水および汚水が流れないように、流入口５２と第２流出口５４とを連通させる切替位置（第２の切替位置）との間で位置変更が可能なものである。蓋体４２は、第２流出口５４に着脱自在に設けられている。蓋体４２が第２流出口５４に装着される（第１の切替位置に配置される）と、第２流出口５４は閉塞される。一方、蓋体４２が第２流出口５４から取り外される（第２の切替位置に配置される）と、第２流出口５４は開放される。地表から点検筒５６を通じて蓋体４２を容易に取り外しできるように、蓋体４２は点検口５１の下方に配置されている。図１１は、蓋体４２の平面図である。図１２は、蓋体４２の正面図である。図１３は、蓋体４２の側面図である。図１２に示すように、蓋体４２は、蓋本体６１と、持ち手６２と、嵌合凸部６３とを備えている。
【００３６】
図１１に示すように、蓋本体６１は、流入口５２から第１流出口５３へと繋がる流路を形成する底面６５を備えている。図１３に示すように、底面６５は、流入口５２の底面および第１流出口５３の底面と滑らかに連続するように、断面略Ｃの字状に形成されている。図１１に示すように、持ち手６２は、蓋本体６１の上端から上方に延びるようにして蓋本体６１に設けられている。図１３に示すように、持ち手６２は、断面Ｃの字状に形成されている。図９に示すように、嵌合凸部６３は、第２流出口５４を閉塞すべく、第２流出口５４に嵌合可能な部位である。嵌合凸部６３は略円筒状である。図１２に示すように、本実施形態では、嵌合凸部６３の外周部には、ゴム製のシール部材６４が設けられている。このシール部材６４によって、図９に示すように、第２流出口５４と蓋体４２の嵌合凸部６３との間のシールが図られている。
【００３７】
図２に示すように、雨水槽７０は、地中に埋設されている。雨水槽７０は、屋外設備５から排出された雨水を貯留する貯留槽であり、内部に密封された空間を有している。ただし、雨水槽７０は、雨水が浸透可能な浸透槽であってもよい。
【００３８】
雨水槽７０の側面上部には、接続口７１が形成されている。ただし、接続口７１は、雨水槽７０の上面に形成されていてもよい。接続口７１には、雨水流出管路１２の下流端が接続されており、排水ます４０の第１流出口５３が間接的に接続されている。第１流出口５３から流出した雨水は、雨水流出管路１２および接続口７１を通じて雨水槽７０に排出される。
【００３９】
雨水槽７０の側面上部には、オーバーフロー管路７７の上流端が接続されている。図１に示すように、オーバーフロー管路７７の下流端は、例えば河川に繋がる雨水本管１５に接続されている。ここでは、雨水槽７０に雨水が流入した場合、雨水槽７０内の雨水の水位が上昇してオーバーフロー管路７７との接続部位に達した際、雨水はオーバーフロー管路７７を介して雨水本管１５に流れる。なお、オーバーフロー管路７７は省略してもよい。
【００４０】
図２に示すように、雨水槽７０の上面には、鉛直方向に円筒７８が突設されている。円筒７８は、上端が地面と略同一の高さになるようにして、雨水槽７０の上面に設けられている。作業者は、円筒７８を介して、雨水を吸引するための吸引ポンプ（図示せず）を挿入することができる。上記吸引ポンプによって、雨水槽７０内の雨水を外部へ吸い上げることができる。そして、吸い上げた雨水は、散水などの中水として利用される。なお、上記吸引ポンプを円筒７８に挿入しない場合には、円筒７８の上部は蓋７９によって閉塞されている。
【００４１】
次に、本実施形態に係る排水システム１Ａの利用方法について説明する。屋外設備５では、設備使用時（第２の排水状態）に洗剤などの油分が含まれた汚水が排出され、設備を使用しない降雨時（第１の排水状態）に雨水が排出される。屋外設備５から排出される汚水および雨水は、同一の側溝６に排出される。雨水は中水として利用することができるが、屋外設備５から排出される汚水は、中水として利用することはできない。汚水には洗剤などの油分が含まれているため、汚水を雨水本管１５に流すことはできない。
【００４２】
そこで、本実施形態では、設備使用時において、屋外設備５から排出される汚水は、下水本管２５に排出される。一方、設備を使用しない降雨時において、屋外設備５から排出される雨水は、雨水槽７０に排出される。以下の説明では、汚水が排出される時の利用態様を汚水モードといい、雨水が排出される時の利用態様を雨水モードということとする。
【００４３】
例えば、図３に示すように、屋外設備５がガソリンスタンドである場合、営業時間内では、ガソリンが含まれた汚水が排出されるため、汚水モードにして、汚水を下水本管２５に排出する。一方、営業時間外では、雨水モードにして、降雨時には雨水が雨水槽７０に排出される。図４に示すように、屋外設備５が洗車場である場合、営業時間内では、洗剤が含まれた汚水が排出されるため、汚水モードにして、汚水を下水本管２５に排出する。一方、営業時間外では、図３のガソリンスタンドと同様に、雨水モードにして、降雨時には雨水は雨水槽７０に排出される。図５に示すように、屋外設備５が海水浴場の屋外シャワー室である場合、海水浴をする夏季中では、汚水モードにする。一方、夏季以外の季節では、雨水モードにする。図６に示すように、屋外設備５が駐車場である場合、例えば、利用者は駐車場で自動車５ａの洗車を行うことがあり得る。そのため、例えば、駐車場で洗車をする場合、洗剤が含まれた汚水が排出されるため、汚水モードにして、汚水を下水本管２５に排出する。その他の場合には、雨水モードにする。また、図７に示すように、屋外設備５がキャンプ場などの洗い場である場合、営業時間内では汚水モードにし、営業時間外では雨水モードにする。
【００４４】
汚水モードでは、排水ます４０の第２流出口５４を塞ぐ蓋体４２（図９参照）が取り外され、第２流出口５４が開放された状態となる。蓋体４２は、例えば以下のようにして取り外すことができる。まず、作業者は、点検筒５６に被せられた蓋５７を取り外す。次に、作業者は点検筒５６に手を挿入し、蓋体４２の持ち手６２（図１２参照）を持って蓋体４２を引き上げる。これにより、排水ます４０の第２流出口５４が開放される。なお、持ち手６２に手が届かないような場合は、例えば先端にフックを有する棒状体などを使用し、上記フックを持ち手６２に引っ掛けて蓋体４２を引き上げればよい。
【００４５】
屋外設備５から排出される汚水は、側溝６に排出される。側溝６に排出された汚水は、流入管路１１に流入する。流入管路１１に流入した汚水は、排水ます４０の流入口５２からます本体４１に流入する。このとき、排水ます４０の第２流出口５４は開放されている。そのため、ます本体４１に流入した汚水は、第２流出口５４からます本体４１の外へ流出する。図１に示すように、第２流出口５４から流出した汚水は、汚水流出管路１３を介して下水本管２５へ排出される。
【００４６】
雨水モードでは、蓋体４２を第２流出口５４に装着することによって、第２流出口５４は蓋体４２によって塞がれ、閉塞される。蓋体４２は、例えば以下のようにして第２流出口５４に装着することができる。まず、作業者は、点検筒５６に被せられた蓋５７を取り外す。次に、作業者は、手に蓋体４２の持ち手６２を持った状態で、点検筒５６に手を挿入する。そして、蓋体４２の嵌合凸部６３（図１２参照）を第２流出口５４に嵌合させることで、蓋体４２を第２流出口５４に装着する。
【００４７】
図２に示すように、屋外設備５から側溝６を通じて流入管路１１に流入した雨水は、排水ます４０の流入口５２からます本体４１に流入する。ます本体４１に流入した雨水は、第２流出口５４を閉塞している蓋体４２の上方を通り、第１流出口５３からます本体４１の外へ流出する。第１流出口５３から流出した雨水は、雨水流出管路１２を通じて雨水槽７０へ排出され、雨水槽７０に貯留される。雨水槽７０に貯留された雨水は、水位が雨水槽７０のオーバーフロー管路７７との接続箇所に達した場合、オーバーフロー管路７７を介して雨水本管１５（図１参照）に排出される。また、雨水槽７０に排出された雨水は、吸引ポンプによって吸い上げられてもよい。この場合、例えば作業者は、雨水槽７０の上面に設けられた円筒７８の上部を閉塞する蓋７９を取り外し、円筒７８を介して雨水槽７０に上記吸引ポンプを挿入する。そして、上記吸引ポンプによって、雨水槽７０に貯留された雨水を外部へ吸い上げる。吸い上げられた雨水は、散水などの中水として利用される。
【００４８】
以上のように、本実施形態において、屋外設備５から汚水が排出される第２の排水状態では、排水ます４０の蓋体４２を第２流出口５４から取り外すことで、屋外設備５から排出される汚水は、汚水流出管路１３を通じて下水本管２５に排出される。そのため、雨水槽７０に汚水が流れ込むことを防止することができる。一方、降雨時であって雨水が排出される第１の排水状態では、蓋体４２を第２流出口５４に装着することで、屋外設備５から排出される雨水は、雨水流出管路１２を通じて雨水槽７０へ排出される。よって、雨水槽７０に排出された雨水を中水として利用することが可能となる。また、下水本管２５などの汚水系管路に雨水が排出されることを防止することができる。
【００４９】
屋外設備５から排出される雨水および汚水には、落ち葉、砂塵などの異物が含まれる場合があり、その異物がます本体内に堆積する場合がある。そのため、異物によって、排水ます４０の流路切替機能が損なわれるおそれがある。しかし、本実施形態では、排水ます４０は点検口５１を備えているため、メンテナンスが容易である。よって、排水ます４０内に異物が詰まった場合に、点検口５１から異物を容易に取り除くことができる。したがって、流路切替機能を十分に確保することができ、流路が切り替えられなくなる事態を回避し易くなる。
【００５０】
また、本実施形態では、図９に示すように、排水ます４０の第２流出口５４は、流入口５２および第１流出口５３よりも低い位置に設けられ、かつ下方に開口している。蓋体４２は、第２流出口５４に着脱自在に設けられている。このことによって、蓋体４２を第２流出口５４に装着すると、流入口５２と第１流出口５３とが連通し、流入口５２と第２流出口５４との連通が遮断される。よって、図２に示すように、流入口５２からます本体４１に流入した雨水は、第１流出口５３から流出し、第２流出口５４から流出しない。したがって、流入管路１１に流入した雨水は、雨水流出管路１２から雨水槽７０に排出される。一方、図９に示すように、蓋体４２を第２流出口５４から取り外すと、流入口５２と第１流出口５３と第２流出口５４とが連通する。しかし、第２流出口５４は、流入口５２および第１流出口５３よりも低い位置に設けられている。よって、図２に示すように、流入口５２からます本体４１に流入した汚水は、第１流出口５３から流出するのではなく、第２流出口５４から流出する。したがって、流入管路１１に流入した汚水は、汚水流出管路１３を通じて下水本管２５（図１参照）に排出される。
【００５１】
本実施形態では、屋外設備５は、例えばガソリンスタンド（図３参照）、洗車場（図４参照）、海水浴場などの屋外のシャワー室（図５参照）、駐車場（図６参照）、または、キャンプ場などの屋外の洗い場（図７参照）である。これら屋外設備５では、同じ側溝６に、雨水、および、洗剤などの油分が含まれた汚水が排出される。本実施形態では、排水ます４０の蓋体４２によって流路を適宜変更することによって、雨水が流入管路１１に流入する場合、その雨水を雨水流出管路１２に流すことができ、汚水が流入管路１１に流入する場合、その汚水を汚水流出管路１３に流すことができる。
【００５２】
雨水流出管路１２および汚水流出管路１３が破損した場合、汚水流出管路１３内の汚水が外部に漏れて、その汚水が雨水流出管路１２の破損個所から内部に流入するおそれがある。しかし、本実施形態では、雨水流出管路１２は、汚水流出管路１３よりも高い位置に設けられている。そのため、汚水流出管路１３内の汚水が外部に漏れた場合であっても、汚水が雨水流出管路１２の破損箇所から内部に流入しにくくすることができる。
【００５３】
以上、第１実施形態に係る排水システム１Ａについて説明した。しかし、本発明に係る排水システムは、第１実施形態に係る排水システム１Ａに限らず、他の種々の形態で実施することができる。次に、他の実施形態について簡単に説明する。なお、以下の説明では、既に説明した構成と同様の構成は同じ符号を付し、その説明は省略することとする。
【００５４】
＜第２実施形態＞
第１実施形態では、雨水流出管路１２の下流端は、雨水槽７０に接続されていた。そして、屋外設備５から排出された雨水は、雨水槽７０に一度貯留されていた。しかし、雨水槽７０は省略することが可能である。この場合、雨水流出管路１２の下流端は、雨水本管１５に接続されている。なお、雨水流出管路１２の下流端は、河川などに繋がる側溝（図示せず）に接続されていてもよい。なお、この場合、雨水流出管路１２内には、公共ます（図示せず）が設けられていてもよい。
【００５５】
本実施形態では、屋外設備５が使用されない降雨時、第２流出口５４を蓋体４２によって塞ぐことで、屋外設備５から排出された雨水は、雨水流出管路１２を通じて雨水本管１５に排出される。そして、雨水本管１５に排出された雨水は、河川などに放流される。屋外設備５が使用される時、蓋体４２を第２流出口５４から取り外すことで、屋外設備５から排出された汚水は、下水本管２５に排出される。よって、屋外設備５から流出した汚水を雨水本管１５に排出することなく、雨水を雨水本管１５に排出することができる。
【００５６】
＜第３実施形態＞
次に、第３実施形態に係る排水システム１Ｂについて説明する。図１４は、第３実施形態に係る排水システム１Ｂの平面図である。図１４に示すように、排水システム１Ｂは、他の流入管路１１ａと、他のます８０とを備えている。他の流出管路１１ａの上流端には、他の屋外設備５Ａが接続されている。屋外設備５Ａは、屋外設備５と同様に、例えば、ガソリンスタンド、洗車場、屋外のシャワー室、駐車場、または、屋外の洗い場などである。他のます８０は、流入管路１１内に設けられている。他のます８０には、流入管路１１ａの下流端が接続されている。
【００５７】
他のます８０には、他の屋外設備５Ａから排出される汚水および雨水が流入する。他のます８０は、流入管路１１内に設けられているため、流入管路１１の下流端に接続された排水ます４０には、屋外設備５および他の屋外設備５Ａから排出された汚水および雨水が流入する。よって、１つの排水ます４０によって排水の流路を切り替えることで、屋外設備５または他の屋外設備５Ａから汚水が排出される場合、その汚水をまとめて汚水流出管路１３に流すことができる。また、屋外設備５および他の屋外設備５Ａから雨水が排出される場合、その雨水をまとめて雨水槽７０に流すことができる。
【００５８】
＜第１変形例＞
図１５は、第１変形例に係る排水ます４０Ａの正面断面図である。図１５に示すように、ます本体４１の内部であって、排水ます４０Ａにおけるます本体４１の第１流出口５３側の底部には、汚水が第１流出口５３に流れにくくするための乗り越え防止部５８が設けられていてもよい。乗り越え防止部５８は、ます本体４１の底部から上方に若干突出している。乗り越え防止部５８は、ます本体４１と一体成形されていてもよいし、ます本体４１に取り付けられていてもよい。第１変形例では、蓋体４２を第２流出口５４から取り外して、屋外設備５から排出された汚水を第２流出口５４から汚水流出管路１３に流す場合、乗り越え防止部５８によって、汚水が第１流出口５３から雨水流出管路１２に流出しにくくすることができる。
【００５９】
＜第２変形例＞
図１６は、第２変形例に係る排水ます４０Ｂの正面断面図である。図１６に示すように、排水ます４０Ｂは、ます本体４１の内部に設けられたエルボ管５９を備えていてもよい。エルボ管５９は、一端側の管軸と他端側の管軸とが略垂直になるように湾曲している。エルボ管５９の一端は、上方、すなわち、点検口５１に向かって開口している。エルボ管５９の他端は、第１流出口５３に接続されている。第２変形例であっても、第１変形例と同様に、汚水を第２流出口５４から汚水流出管路１３に流す場合、エルボ管５９の側面によって、汚水が第１流出口５３を通じて雨水流出管路１２に流れにくくすることができる。そのため、エルボ管５９の側面は、第１変形例の乗り越え防止部５８と同様の役割を担う。また、エルボ管５９の一端は、流入口５２の底部、および、第１流出口５３の底部よりも高い位置に設けられている。そのため、蓋体４２を第２流出口５４に装着して、雨水を第１流出口５３から雨水流出管路１２に流す場合、雨水に含まれる異物が、ます本体４１内に堆積する。よって、雨水に含まれる異物が第１流出口５３から雨水流出管路１２に流れることを防止することができる。
【００６０】
＜第３変形例＞
図１７は、第３変形例に係る排水ます４０Ｃの正面断面図である。図１７に示すように、排水ます４０Ｃは、ます本体４１の底部に、異物を堆積するための堆積部６６を備えていてもよい。堆積部６６は、ます本体４１の底部よりも下方に凹んでいる。堆積部６６は、第２流出口５４よりも幅が広く、底部に第２流出口５４が形成されている。蓋体４２は、堆積部６６を通じて、第２流出口５４に着脱自在に設けられている。第３変形例では、蓋体４２を第２流出口５４に装着して、屋外設備５から排出された雨水を第１流出口５３から雨水流出管路１２に流出させる際、仮に雨水に落ち葉または砂塵などの異物が含まれていたとしても、その異物を堆積部６６に堆積させることができる。よって、雨水流出管路１２により綺麗な雨水を流すことができる。
【００６１】
＜第４変形例＞
図１８は、第４変形例に係る排水ます４０Ｄの平面図である。図１８に示すように、排水ます４０Ｄの点検口５１は、平面視において、流入口５２から第１流出口５３へ向かう流路方向の最大の長さＬ１が該流路方向と直交する方向の最大の長さＬ２よりも長い扁平形状であってもよい。ここでは、点検口５１は、平面視において、惰円形状である。このことによって、流入口５２から第１流出口５３へ向かう流路の長さを長くすることができる。したがって、汚水を第２流出口５４から汚水流出管路１３に流す場合、汚水が第１流出口５３へ流れにくくすることができる。
【００６２】
＜その他の変形例＞
上記各実施形態では、流路切替手段は流路切替機能を有する排水ますであった。しかし、流路切替手段は、流路を切り替えることが可能な切替弁であってもよい。
【００６３】
１Ａ、１Ｂ  排水システム
５  屋外設備
１１  流入管路
１２  雨水流出管路
１３  汚水流出管路
１５  雨水本管
２５  下水本管
４０、４０Ａ、４０Ｂ、４０Ｃ、４０Ｄ  排水ます（流路切替手段）
４１  ます本体
４２  蓋体（切替手段）
５１  点検口
５２  流入口
５３  第１流出口
５４  第２流出口
７０  雨水槽
【要約】
【課題】屋外設備から排出される汚水および雨水が流入する排水システムであって、屋外設備から排出される雨水を中水として利用可能、または、雨水本管等に排出可能な排水システムを提供する。
【解決手段】排水システム１Ａは、降雨時であって雨水が排出される第１の排水状態と、汚水が排出される第２の排水状態とが生じる屋外設備５から排出される水が流入する流入管路１１と、流入管路１１の下流端に接続された流路切替手段４０と、上流端が流路切替手段４０に接続され、下流端が雨水系管路に接続された雨水流出管路１２と、上流端が流路切替手段４０に接続され、下流端が汚水系管路に接続された汚水流出管路１３とを備えている。流路切替手段４０は、流入管路１１から雨水流出管路１２に水を流す第１の状態と、流入管路１１から汚水流出管路１３に水を流す第２の状態とに切り替え可能に構成されている。
【選択図】図１【図１】
0005643908.tif 000002
【図２】
0005643908.tif 000003
【図３】
0005643908.tif 000004
【図４】
0005643908.tif 000005
【図５】
0005643908.tif 000006
【図６】
0005643908.tif 000007
【図７】
0005643908.tif 000008
【図８】
0005643908.tif 000009
【図９】
0005643908.tif 000010
【図１０】
0005643908.tif 000011
【図１１】
0005643908.tif 000012
【図１２】
0005643908.tif 000013
【図１３】
0005643908.tif 000014
【図１４】
0005643908.tif 000015
【図１５】
0005643908.tif 000016
【図１６】
0005643908.tif 000017
【図１７】
0005643908.tif 000018
【図１８】
0005643908.tif 000019